(57)【要約】【課題】放熱性が良好な照明器具を提供する。【解決手段】照明器具１は、光源２０と、回路部品５２を有する回路基板５１と、回路基板５１を収容するケース６と、ケース６を内部に収容するカバー４と、を備える。カバー４は、軸線４０を囲む筒状をした側壁４２と、側壁４２の軸線４０方向の一端部に形成されてケース６が通る開口４３と、を有する。回路基板５１は、ケース６の軸線４０に沿う面に絶縁シート５４を介して取り付けられている。絶縁シート５４は、回路基板５１とケース６との間に位置する絶縁部５４１と、絶縁部５４１から延出する延出部５４２と、を有する。延出部５４２は、回路基板５１を軸線４０回りに囲み、軸線４０方向に開放されている。【選択図】図３
2020077597.tif 000002
【特許請求の範囲】
【請求項１】
光源と、
回路部品を有する回路基板と、
前記回路基板を収容するケースと、
前記ケースを内部に収容するカバーと、を備え、
前記カバーは、軸線を囲む筒状をした側壁と、前記側壁の前記軸線方向の一端部に形成されて前記ケースが通る開口と、を有し、
前記回路基板は、前記ケースの前記軸線に沿う面に絶縁シートを介して取り付けられており、
前記絶縁シートは、前記回路基板と前記ケースとの間に位置する絶縁部と、前記絶縁部から延出する延出部と、を有し、
前記延出部は、前記回路基板を前記軸線回りに囲み、前記軸線方向に開放されている
照明器具。
【請求項２】
前記延出部は、前記回路基板の前記軸線回りの一部に位置する
請求項１に記載の照明器具。
【請求項３】
前記延出部は、前記絶縁部から延出される先端部が自由端となっており、前記回路基板の前記軸線回りに囲むように前記先端部の位置を規制する絶縁シート規制部を備える
請求項１又は２に記載の照明器具。
【請求項４】
前記絶縁シートの前記軸線方向に沿う長さは、前記回路基板の前記軸線方向に沿う長さ以上である
請求項１〜３のいずれか一項に記載の照明器具。
【請求項５】
前記絶縁シートに囲まれて前記回路基板が位置する空間は、前記軸線方向において前記ケースの外方の空間と通じている
請求項１〜４のいずれか一項に記載の照明器具。
【発明の詳細な説明】
【技術分野】
【０００１】
本開示は、照明器具に関し、更に詳しくは、回路部品を有する回路基板と、ケースと、カバーと、絶縁シートと、を備える照明器具に関する。
【背景技術】
【０００２】
従来、基板と、電源端子台を収容する筐体からなる本体と、を備える照明器具が知られている（例えば特許文献１参照）。
【先行技術文献】
【特許文献】
【０００３】
【特許文献１】特開２０１６−１６２５０６号公報
【発明の概要】
【発明が解決しようとする課題】
【０００４】
この従来の照明器具にあっては、放熱シートを設ける点が記載されているが、放熱性は良好ではない。
【０００５】
本開示は上記従来の問題点に鑑みて発明したものであって、放熱性が良好な照明器具を提供することを目的とする。
【課題を解決するための手段】
【０００６】
上記課題を解決するために、本開示に係る一形態の照明器具は、光源と、回路部品を有する回路基板と、前記回路基板を収容するケースと、前記ケースを内部に収容するカバーと、を備える。前記カバーは、軸線を囲む筒状をした側壁と、前記側壁の前記軸線方向の一端部に形成されて前記ケースが通る開口と、を有する。前記回路基板は、前記ケースの前記軸線に沿う面に絶縁シートを介して取り付けられている。前記絶縁シートは、前記回路基板と前記ケースとの間に位置する絶縁部と、前記絶縁部から延出する延出部と、を有する。前記延出部は、前記回路基板を前記軸線回りに囲み、前記軸線方向に開放されている。
【発明の効果】
【０００７】
本開示に係る一形態の照明器具にあっては、放熱性が良好となる。
【図面の簡単な説明】
【０００８】
【図１】図１は、本開示の一実施形態に係る照明器具を上側から見た斜視図である。
【図２】図２は、同上の照明器具を上側から見た分解斜視図である。
【図３】図３は、同上の照明器具の平面視における中心を通り左右と直交する平面で切断した断面図である。
【図４】図４は、同上の照明器具の平面視における中心を通り前後と直交する平面で切断した断面図である。
【図５】図５は、同上の照明器具の第１ケース体、機器が取り付けられた第２ケース体及び端子台の上側から見た分解斜視図である。
【図６】図６は、同上の照明器具のケースとカバーの上側から見た分解斜視図である。
【図７】図７は、同上のカバーの平面図である。
【図８】図８は、同上の照明器具の建物取付部材を除いた平面図である。
【図９】図９は、同上のカバーと建物取付部材の上側から見た分解斜視図である。
【発明を実施するための形態】
【０００９】
本開示に係る照明器具の実施形態について、図面を参照して詳細に説明する。ただし、下記の実施形態において説明する各図は模式的な図であり、各構成要素の大きさや厚さそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１０】
図１に示すように、以下に説明する一実施形態に係る照明器具１は、高層ビルや大型商業施設などの建物に設置され、当該建物に設置されている非常用電源から電源供給を受けて非常時照明を行う、いわゆる電源別置形非常時用照明器具である。なお、照明器具１は、建物内の天井材に直付けされて天井に設置される。
【００１１】
図２〜図４に示すように照明器具１は、光源２０と、端子台３と、端子台３が取り付けられる端子台取付部材１１と、端子台取付部材１１等を内部に収容するカバー４と、を備える。なお、以下の説明で使用する上下及び前後左右の各方向は、特に断りの無い限り、図２において規定した方向とする。
【００１２】
光源２０は、光源ブロック２に含まれる。光源ブロック２は、ＬＥＤ（Light Emitting Diode）からなる光源２０と、光源２０を支持するホルダ２１と、レンズ２２と、レンズ２２を支持するレンズホルダ２３と、取付板２４と、放熱シート２５とを有している。光源２０は、例えば、パッケージ型の照明用白色ＬＥＤである。ただし、光源２０は、ＬＥＤに限定されず、有機エレクトロルミネセンス素子などのＬＥＤ以外の固体発光素子であってもかまわない。光源２０にはリード２６が接続され、リード２６はリードホルダ２７に保持される。
【００１３】
取付板２４は、概ね板状をした部材からなり、例えば、アルミニウム製又はアルミニウム合金製の板材によって形成されている。取付板２４の下面側に、光源２０を支持するホルダ２１が取り付けられる。取付板２４の上面側に、放熱シート２５が設けられる。放熱シート２５の下面は、ホルダ２１の上面と接触する。光源２０から発せられる熱は、ホルダ２１及び放熱シート２５を介して放熱される。
【００１４】
レンズ２２は、光源２０から放射される光の配光を制御する。レンズ２２は、光源２０を覆うようにレンズホルダ２３によって取付板２４の下面に取り付けられる。レンズホルダ２３は、ねじからなる固着具２８により、後述するケース６に取り付けられる。光源ブロック２がケース６に取り付けられた状態で、光源２０から発せられる光の向き（光軸の向き）は、下方を向く。
【００１５】
図２に示すように、照明器具１は、点灯装置を備える。点灯装置は、点灯回路ブロック５、端子台３等を備えている。端子台３は、例えば、ねじなし端子台で構成されている。この種のねじなし端子台（速結端子台とも呼ばれる。）は、直方体形状に形成され、２対の１次側（電源側）の差込孔３１と、２対の２次側（負荷側）の差込孔３２とを差込面３３に有している。つまり、端子台３は、それぞれの差込孔３１、３２に導体（例えば、銅製の単線）を差し込むだけで導体との電気的な接続を完了させることができる。端子台３の２次側の差込孔３２には、点灯回路ブロック５に電気的に接続される、２次側の２本の電線の各導体が１つずつ差し込まれる。端子台３の１次側の２対の差込孔３１には、非常用電源からの給電が行われる一対の電線の導体と、送り配線用の一対の電線の導体とが各々１つずつ差し込まれる。
【００１６】
点灯回路ブロック５は、両面プリント配線板からなる回路基板５１と、回路基板５１に実装されている種々の回路部品５２と、放熱部材５３と、絶縁シート５４と、取付板５５と、を有している。点灯回路ブロック５は、非常用電源から供給される電源電圧（交流電圧又は直流電圧）を無極性化するための整流回路、整流回路から入力する入力電圧を昇圧又は降圧するコンバータ回路、コンバータ回路を制御する制御回路などを備えている。点灯回路ブロック５は、コンバータ回路から光源２０に電流を流して光源２０を点灯させる。
【００１７】
回路基板５１の前面に放熱部材５３の後面が接触し、放熱部材５３の前面に絶縁シート５４の後面が接触する。取付板５５は、前片５５１と右片５５２とを有する平面視Ｌ字状をしており、絶縁シート５４の前面が取付板５５の前片５５１の後面に接触する。絶縁シート５４は、取付板５５の前面に位置する絶縁部５４１と、絶縁部５４１から延出する延出部５４２と、を有する。延出部５４２は、回路基板５１を上下軸回りに囲み、上下方向に開放されている。延出部５４２は、回路基板５１の上下軸回りの一部に位置する。延出部５４２は、絶縁部５４１から延出される先端部が自由端となっている。絶縁シート５４の上下方向に沿う長さは、回路基板５１の上下方向に沿う長さと同じである。なお、絶縁シート５４の上下方向に沿う長さは、回路基板５１の上下方向に沿う長さより長くてもよい。このように、絶縁シート５４の延出部５４２が、回路基板５１を軸線４０回りに囲み、軸線４０方向に開放されているため、延出部５４２によりドラフト流の流路が形成され、上昇気流が効率よく発生する（煙突効果）。これにより、回路基板５１の放熱性能が向上する。
【００１８】
延出部５４２は、絶縁部５４１から延出される先端部が自由端となっており、回路基板５１の軸線４０回りに囲むように先端部の位置を規制する絶縁シート規制部を備える。図３に示すように、ケース６の後片６１によって延出部５４２はそれ以上後方へ移動するのが規制されている。すなわち、後片６１が、絶縁シート規制部となっている。
【００１９】
照明器具１は、ケース６を備える。ケース６は、第１ケース体６０と、第２ケース体６５と、を有する。第１ケース体６０は、後片６１と、左側の側片６２と、右側の側片６３と、後取付片６４と、端子台取付部１３と、を有する。本実施形態では、第１ケース体６０が、端子台取付部材１１を構成する。端子台取付部材１１は、屈曲した板状部材により形成されており、一部に端子台３が取り付けられる端子台取付面１４を有する。端子台取付部１３には概ね前後に貫通する孔１３１が形成されている。後側より端子台取付部１３の孔１３１にねじからなる固着具１３２が通され、端子台３の後面に形成されたねじ孔に固着具がねじ込まれて、端子台３が端子台取付部１３の端子台取付面１４に取り付けられる。
【００２０】
第２ケース体６５は、上片６６と、前片６７と、下片６８と、左右一対の前取付片６９と、を有する。前取付片６９には上下に貫通する孔６９１が形成されている。固着具６９２、）下片６８には、リードホルダ２７が通るリード孔６８１が上下に貫通するように形成されている。下片６８には、光源ブロック２が取り付けられる。言い換えると、下片６８が光源ブロック取付部となる。また、前片６７には、点灯回路ブロック５が取り付けられる。言い換えると、前片６７は、点灯回路ブロック取付部となる。前片６７には、前後に貫通するねじ孔６７１が形成されている。回路基板５１のねじ孔６７１に対応する位置には、前後に貫通する孔５１１が形成されている。絶縁シート５４のねじ孔６７１に対応する位置には、前後に貫通する孔５４３が形成されている。取付板５５の前片６７のねじ孔６７１に対応する位置には、前後に貫通する孔５５３が形成されている。後側より、回路基板５１の孔５１１、絶縁シート５４の孔５４１及び取付板５５の孔５５３に、ねじからなる固着具６７２が通され、前片６７に形成されたねじ孔６７１に固着具６７２がねじ込まれる。これにより、図５に示すように、点灯回路ブロック５が第２ケース体６５に取り付けられる。
【００２１】
図２に示すように、第１ケース体６０の後取付片６４には、ねじからなる固着具６８４が通る上下に貫通する孔が形成されている。第２ケース体６５の下片６８には、固着具６８４がねじ込まれるねじ孔６８３が形成されている。上側より、第１ケース体６０の後取付片６４の孔に固着具６８４が通され、第２ケース体６５の下片６８のねじ孔６８３に固着具６８４がねじ込まれて、第１ケース体６０が第２ケース体６５に取り付けられる。このようにして、図６に示すように、第１ケース体６０と第２ケース体６５とにより、ケース６が構成される。図５、図６に示すように、第２ケース体６５の上片６６が、端子台取付部１３に取り付けられた端子台３の周囲の一部（端子台３の上方）を覆う覆い壁部１５として機能する。図６に示すように、覆い壁部１５は、端子台３から所定の長さ以下の隙間をあけるための端子台スリット１５１を有する。なお、端子台スリット１５１の代わりに端子台開口を有してもよい。
【００２２】
図５に示すように、第１ケース体６０の左側の側片６２が端子台３の周囲の左方を覆う覆い壁部として機能する。また、第１ケース体６０の右側の側片６３が端子台３の周囲の右方を覆う覆い壁部として機能する。これにより、作業者が端子台３に誤って触れるのが抑制される。
【００２３】
図６及び図７に示すように、カバー４は、円形の底壁４１と、上下方向に延びる軸線４０（図３参照）を囲む筒状をした側壁４２と、を有する。側壁４２は、円筒状であってもよいが、本実施形態では、下方へ行く程径がわずかに小さくなるテーパを有している。側壁４２の軸線４０方向の一端部（本実施形態における上端部）には、光源２０及び端子台３が取り付けられた端子台取付部材１１が通る開口４３が形成される。
【００２４】
カバー４は、アルミダイカストにより形成されている。なお、カバー４は、アルミニウム以外の鋼等の金属製であってもよい。カバー４は、良好な熱伝導性を有することが好ましく、この点から金属製であることが好ましい。カバー４は、端子台取付部材１１を内部に収容した状態で、端子台取付部材１１が取り付けられる。
【００２５】
底壁４１の中央に、円形の窓開口４１１が開口している。側壁４２の上部の左右の部分に、一対の孔４２１が左右に貫通するように形成されている。
【００２６】
図３に示すように、端子台取付部材１１は、軸線４０方向の他端側の部分（本実施形態では下端側の部分）においてカバー４に取り付けられている。具体的には、図７に示すように、カバー４の底壁４１の後側の部分の左側に、ねじ孔４１２が形成されている。また、第１ケース体６０の後取付片６４のねじ孔４１２に対応する位置には、ねじからなる固着具４１３の頭部が通る孔が形成されている。なお、本開示において、単にねじからなる固着具が通る孔という場合、ねじの軸部が通るが、ねじの頭部は通らないものとする。第２ケース体６５の下片６８のねじ孔４１２に対応する位置には、固着具４１３が通る孔６８２が形成されている。
【００２７】
上側より、第１ケース体６０の後取付片６４に形成された孔及び第２ケース体６５の下片６８に形成された孔６８２に固着具４１３が通され、カバー４の底壁４１のねじ孔４１２に固着具４１３がねじ込まれる。また、上側より、第２ケース体６５の前取付片６９に形成された孔６９１に、ねじからなる固着具６９２が通され、カバー４の底壁４１に形成されたねじ孔４１７に固着具６９２がねじ込まれる。これにより、図８、図３に示すように、ケース６がカバー４に取り付けられる。
【００２８】
また、図７に示すように、カバー４の底壁４１の後側の部分の右側に、切欠からなり、固着具６８４との干渉を避けるための凹部４１４が形成されている。
【００２９】
図９に示すように、照明器具１は、建物取付部材７と、ワイヤ８と、を更に備える。図１、図２に示すように、建物取付部材７は、建物に取り付けられる板状部分を有し、カバー４の開口４３に位置してカバー４が取り付けられる。建物取付部材７は、板状部分となる天板７１と、前側の脚片７２と、左右一対の脚片７３と、左右一対の固定片７４と、を有している。建物取付部材７は、鋼板などの金属板によって一体に形成されている。
【００３０】
図２に示すように、天板７１は、四辺のうちの対向する二辺が弧状である四辺形状に形成されている。天板７１の前端部には、上下に貫通するだるま孔７１１が形成されている。天板７１の後端部には、上下に貫通する孔７１２が形成されている。建物取付部材７は、一部に端子台３に接続される電線が通る電線開口７１０を一部に有する。なお、電線開口７１０の代わりに電線スリットが形成されてもよい。
【００３１】
図９に示すように、ワイヤ８は、一端側に、孔を有する接続部８１を有する。接続部８１の孔に後側よりねじからなる固着具７２２が通され、建物取付部材７の脚片７２に形成されたねじ孔７２１にねじ込まれる。これにより、ワイヤ８の一端側が建物取付部材７に接続される。
【００３２】
ワイヤ８は、他端側に、孔を有する接続部８２を有する。接続部８２の孔に上側よりねじからなる固着具４１６が通され、カバー４の底壁４１の前側の部分に左側に形成されるねじ孔４１５（図７参照）に固着具４１６がねじ込まれる。これにより、ワイヤ８の他端側がカバー４に接続される。ワイヤ８が設けられることにより、カバー４が落下するのが抑制される。
【００３３】
図２に示すように、建物取付部材７の固定片７４に、左右に貫通するねじ孔７４１が形成されている。カバー４の側壁４２の上部の左右の部分に形成された一対の孔４２１に、
外側よりねじからなる固着具７４２が通され、固着具７４２がねじ孔７４１にねじ込まれることにより、カバー４が建物取付部材７に取り付けられる。
【００３４】
図３に示すように、端子台取付面１４の法線１４１の向きが軸線４０に沿ってかつ開口４３を向く向きに対して１５度以上７５度以下の角度で傾斜する。これにより、図９に示すように、カバー４に開口４３より電線を挿入して差込孔３１、３２に差し込みやすい。
【００３５】
また、端子台３は、軸線４０方向に見て、電線開口７１０と異なる位置に位置している。これにより、ほこり等のごみが開口４３より侵入して端子台３に付着しにくい。
【００３６】
図３に示すように、端子台取付部１３は、端子台取付部材１１のカバー４に取り付けられた部分よりも軸線４０方向の一端側（本実施形態では上側）に位置している。このため、図２に示すように、電線を差込孔３１、３２に差し込む際に、端子台取付部材１１が撓むおそれがある。そこで、端子台取付部１３は、カバー４の側壁４２の内面から所定の長さ以下の隙間をあけて離間している。更に説明すると、端子台取付部１３は板状をしており、左右の端部が後側に屈曲して、支持片１３３が形成されている。この支持片１３３と、カバー４の側壁４２の内面との間に、所定の長さ以下の隙間が形成されるようにしている。この場合、電線を差込孔３１、３２に差し込む際に、端子台取付部材１１が撓んでも、支持片１３３が所定の長さ分移動すると、カバー４の側壁４２の内面に接触し、それ以上撓むのが抑制される。これにより、端子台取付部材１１が大きく撓んで塑性変形してしまうのが抑制される。所定の長さは、端子台取付部材１１が塑性変形しない範囲、すなわち、端子台取付部材１１が弾性変形する範囲内で決められることが好ましい。なお、端子台取付部１３は、側壁４２の内面と接触してもよい。
【００３７】
図８に示すように、ワイヤ８の他端側の接続部８２は、端子台取付部材１１が取り付けられたカバー４全体の重心よりずれた位置においてカバー４に接続されている。また、端子台取付部１３は、ワイヤ８の他端側の接続部８２のカバー４に接続されている部分と、重心を挟んで反対側に位置している。このため、ワイヤ８を介して端子台取付部材１１が取り付けられたカバー４が吊り下げられると、端子台取付部１３が位置している部分が下がり、差込面３３が概ね上方を向く。ワイヤ８はカバー４の開口４３の縁部に接触する。これにより、ワイヤ８がカバー４内に収容されやすくなる。
【００３８】
また、図４に示すように、ワイヤ８の建物取付部材７に取り付けられている一端側の接続部８１は、軸線４０方向と交差している。これにより、電線を差込孔３１、３２に差し込む作業がより一層しやすくなる。
【００３９】
また、図２に示すように、第２ケース体６５の前片６７にフランジ部６７３がある。また、図７に示すように、カバー４の側壁４２の内面の前側の左右にそれぞれ、間にスリット４２２を形成するリブ４２３が形成される。図８に示すように、フランジ部６７３はリブ４２３の間のスリット４２２に入る。これにより、ワイヤ８がカバー４内でリブ４２３及びフランジ部６７３を超えて移動するのが規制される。リブ４２３及びフランジ部６７３は、ワイヤ８がカバー４内で移動するのを規制する規制部となる。
【００４０】
図３に示すように、絶縁シート５４に囲まれて回路基板５１が位置する空間は、軸線４０方向においてケース６の外方の空間と通じている。すなわち、回路基板５１が位置する空間から、熱を帯びた空気は、端子台スリット１５１を介してケース６の上側の空間へと抜ける。また、ケース６の上側の空間へと抜けた熱を帯びた空気は、電線開口７１０を介して、カバー４の上側の空間へと抜ける。これにより、放熱が効率よくなされる。
【００４１】
以上、述べた実施形態から明らかなように、第１の態様の照明器具１は、光源２０と、回路部品５２を有する回路基板５１と、回路基板５１を収容するケース６と、ケース６を内部に収容するカバー４と、を備える。カバー４は、軸線４０を囲む筒状をした側壁４２と、側壁４２の軸線４０方向の一端部に形成されてケース６が通る開口４３と、を有する。回路基板５１は、ケース６の軸線４０に沿う面に絶縁シート５４を介して取り付けられている。絶縁シート５４は、回路基板５１とケース６との間に位置する絶縁部５４１と、絶縁部５４１から延出する延出部５４２と、を有する。延出部５４２は、回路基板５１を軸線４０回りに囲み、軸線４０方向に開放されている。
【００４２】
第１の態様によれば、絶縁シート５４の延出部５４２が、回路基板５１を軸線４０回りに囲み、軸線４０方向に開放されているため、延出部５４２によりドラフト流の流路が形成され、上昇気流が効率よく発生する。これにより、回路基板５１の放熱性能が向上する。
【００４３】
第２の態様では、第１の態様との組み合わせにより実現される。第２の態様では、延出部５４２は、回路基板５１の軸線４０回りの一部に位置する。
【００４４】
第２の態様によれば、わずかな絶縁シート５４の延出部５４２により、放熱性能が向上する。
【００４５】
第３の態様では、第１又は第２の態様との組み合わせにより実現される。第３の態様では、延出部５４２は、絶縁部５４１から延出される先端部が自由端となっており、回路基板５１の軸線４０回りに囲むように先端部の位置を規制する絶縁シート規制部を備える。
【００４６】
第３の態様によれば、延出部５４２の先端部が移動するのが規制される。
【００４７】
第４の態様では、第１〜第３のいずれかの態様との組み合わせにより実現される。第４の態様では、絶縁シート５４の軸線４０方向に沿う長さは、回路基板５１の軸線４０方向に沿う長さ以上である。
【００４８】
第４の態様によれば、ドラフト流が発生しやすく、また、回路基板５１の軸線４０方向に沿う長さの全長にわたって、ドラフト流による冷却がなされる。
【００４９】
第５の態様では、第１〜第４のいずれかの態様との組み合わせにより実現される。第５の態様では、絶縁シートに囲まれて回路基板５１が位置する空間は、軸線４０方向においてケース６の外方の空間と通じている。
【００５０】
第５の態様によれば、熱を帯びた空気は、ケース６の上側の空間へと抜け、放熱が効率よくなされる。
【符号の説明】
【００５１】
１      照明器具
２０    光源
４      カバー
４０    軸線
４２    側壁
４３    開口
５１    回路基板
５２    回路部品
５４    絶縁シート
５４１  絶縁部
５４２  延出部
６      ケース
【図１】
2020077597.tif 000003
【図２】
2020077597.tif 000004
【図３】
2020077597.tif 000005
【図４】
2020077597.tif 000006
【図５】
2020077597.tif 000007
【図６】
2020077597.tif 000008
【図７】
2020077597.tif 000009
【図８】
2020077597.tif 000010
【図９】
2020077597.tif 000011